(57)【要約】【課題】ＦＭ送信回路の設定を変更する際のノイズ音の影響を抑制することが可能なデジタルデータ処理回路を提供する。【解決手段】デジタルデータ処理回路は、ＦＭラジオ受信機に無線送信されるＦＭ変調信号を設定データに基づいて生成する音声信号処理回路に対して、設定データを設定する設定部と、設定部が設定データを音声信号処理回路に設定する間、所定の音声信号を再生するための音声データを出力する出力部と、を備える。【選択図】図１
2010200293.tif 000002
【特許請求の範囲】
【請求項１】
ＦＭラジオ受信機に無線送信されるＦＭ変調信号を設定データに基づいて生成する音声信号処理回路に対して、前記設定データを設定する設定部と、
前記設定部が前記設定データを前記音声信号処理回路に設定する間、所定の音声信号を再生するための音声データを出力する出力部と、
を備えることを特徴とするデジタルデータ処理回路。
【請求項２】
請求項１に記載のデジタルデータ処理回路であって、
前記音声データを前記所定の音声信号に変換してスピーカに出力する変換部をさらに備えること、
を特徴とするデジタルデータ処理回路。
【請求項３】
請求項１に記載のデジタルデータ処理回路であって、
前記音声データを前記所定の音声信号に変換する変換部をさらに備え、
前記音声信号処理回路は、
前記変換部から出力される前記音声信号に対して前記設定データに基づいた処理を施して、前記所定の音声信号を前記ＦＭラジオ受信機で再生するための前記ＦＭ変調信号を生成すること、
を特徴とするデジタルデータ処理回路。
【発明の詳細な説明】
【技術分野】
【０００１】
本発明は、デジタルデータ処理回路に関する。
【背景技術】
【０００２】
近年、携帯用音楽再生装置等に保存した音楽データを、例えばカーステレオで再生するために、ＦＭ（Ｆｒｅｑｕｅｎｃｙ  Ｍｏｄｕｌａｔｉｏｎ）送信回路が用いられることがある（例えば、特許文献１、または特許文献２参照）。図６に、音声信号を送信するための、ＦＭ送信回路３００及びマイコン３１０を用いた送信装置２００の一般的な構成を示す。
【０００３】
ＦＭ送信回路３００における搬送波の周波数は、周辺で使用されているＦＭラジオ等の周波数を考慮して決定される。したがって、まず利用者は、ＦＭ送信回路３００における搬送波の周波数を設定する必要がある。具体的には、利用者は、コントローラ２２０の表示画面（不図示）に表示された搬送波の周波数が所望の周波数となるように、コントローラ２２０のキー（不図示）を操作する。そして、搬送波の周波数が決定されると、マイコン３１０へ搬送波の周波数データが出力されるよう、利用者はコントローラ２２０のキー（不図示）を操作する。マイコン３１０は、コントローラ２２０からの周波数データを、クロック信号ＳＣＬに同期したシリアルデータＳＤＡとしてＦＭ送信回路３００へ送信する。その結果、ＦＭ送信回路３００における搬送波の周波数が設定され、ＦＭ送信回路３００は、入力される音声信号ＲＩＮ，ＬＩＮを、アンテナ２３０を介して、例えばカーステレオに送信することが可能となる。
【先行技術文献】
【特許文献】
【０００４】
【特許文献１】特開２００６−２６２５２１号公報
【特許文献２】特開２００７−８８６５７号公報
【発明の概要】
【発明が解決しようとする課題】
【０００５】
前述の送信装置２００において、例えば、周辺環境が変化し、カーステレオの再生音がＦＭラジオの影響をうける場合、ＦＭ送信回路３００の搬送波の周波数を変更する必要がある。搬送波の周波数を変更する際には、一般的に音声再生装置２１０の出力である音声信号ＲＩＮ，ＬＩＮを一時的に停止し、コントローラ２２０を操作する。そのため、カーステレオからは再生音が無い無音状態でＦＭ送信回路３００の設定が変更されることとなる。しかしながら、設定変更の際に音声信号ＲＩＮ，ＬＩＮを一時的に停止した場合であっても、実際には、ＦＭ送信回路３００においてシリアルデータＳＤＡの高調波等が可聴域に変換され、カーステレオからシリアルデータＳＤＡの送信音がノイズ音として再生されることがある。また、前述のノイズ音が再生されると、利用者から送信装置２００の故障等が疑われる可能性がある。
【０００６】
本発明は上記課題を鑑みてなされたものであり、ＦＭ送信回路の設定を変更する際のノイズ音の影響を抑制することが可能なデジタルデータ処理回路を提供することを目的とする。
【課題を解決するための手段】
【０００７】
上記目的を達成するため、本発明のデジタルデータ処理回路は、ＦＭラジオ受信機に無線送信されるＦＭ変調信号を設定データに基づいて生成する音声信号処理回路に対して、前記設定データを設定する設定部と、前記設定部が前記設定データを前記音声信号処理回路に設定する間、所定の音声信号を再生するための音声データを出力する出力部と、を備える。
【発明の効果】
【０００８】
ＦＭ送信回路の設定を変更する際のノイズ音の影響を抑制することが可能なデジタルデータ処理回路を提供することができる。
【図面の簡単な説明】
【０００９】
【図１】本発明の第１の実施形態である送信装置１０の構成を示す図である。
【図２】ＣＰＵ６３がプログラムを実行することにより実現される機能ブロックの構成を示す図である。
【図３】送信装置１０の動作を説明するためのフローチャートである。
【図４】送信装置１０の動作を説明するためのタイミングチャートである。
【図５】本発明の第２の実施形態である送信装置１１の構成を示す図である。
【図６】一般的な送信装置の一例である。
【発明を実施するための形態】
【００１０】
本明細書および添付図面の記載の記載により、少なくとも以下の事項が明らかとなる。
【００１１】
図１は、本発明の第１の実施形態である送信装置１０の構成を示す図である。送信装置１０は、例えば、音楽再生装置３０から出力される音楽をＦＭ信号としてアンテナ３１から送信し、カーステレオ（不図示）で再生するための装置である。また、第１の実施形態の送信装置１０は、利用者がコントローラ３２を操作することにより、ＦＭ信号の周波数を設定可能な装置である。送信装置１０は、ＦＭ送信回路２０、マイコン２１、パワーアンプ２２、及びスピーカ２３を含んで構成される。
【００１２】
ＦＭ送信回路２０は、マイコン２１からのシリアルデータＳＤＡに基づいた周波数の搬送波と、音楽再生装置３０からの音声信号ＲＩＮ，ＬＩＮに基づいたステレオコンポジット信号とを生成するとともに、搬送波をステレオコンポジット信号で変調し、ＦＭ信号としてアンテナ３１に出力する回路である。第１の実施形態のＦＭ送信回路２０は、音声増幅回路４０、ＦＭ変調ＩＣ（Ｉｎｔｅｇｒａｔｅｄ  Ｃｉｒｃｕｉｔ）４１、パワーアンプ４２を含んで構成される。
【００１３】
音声増幅回路４０は、音声信号ＲＩＮ，ＬＩＮを増幅するとともに、音声信号ＲＩＮ，ＬＩＮに応じたステレオコンポジット信号を生成し、ＦＭ変調ＩＣ４１に出力する回路である。
【００１４】
ＦＭ変調ＩＣ４１（音声信号処理回路）は、マイコン２１からのシリアルデータＳＤＡに基づいた周波数の搬送波を生成し、ステレオコンポジット信号で変調する回路である。なお、変調された信号は、カーステレオ（不図示）のＦＭラジオ受信機（不図示）に送信するために、ＦＭ変調信号としてパワーアンプ４２に出力される。本第１の実施形態のＦＭ変調ＩＣ４１は、ＩＤＣ（Ｉｎｓｔａｎｔａｎｅｏｕｓ  Ｄｅｖｉａｔｉｏｎ  Ｃｏｎｔｒｏｌ）回路５０、水晶発振回路５１、設定レジスタ５２、及び周波数変調回路５３を含んで構成される。
【００１５】
ＩＤＣ回路５０は、音声増幅回路４０により増幅されたステレオコンポジット信号の振幅を制限し、周波数変調回路５３に出力する回路である。
【００１６】
水晶発振回路５１は、接続される水晶振動子（不図示）とともに、ＦＭ変調ＩＣ４１の基準となる基準周波数を生成する回路である。
【００１７】
設定レジスタ５２は、マイコン２１からクロック信号ＳＣＬに同期して入力されるシリアルデータＳＤＡを保持し、設定データとして周波数変調回路５３に出力する回路である。なお、本実施形態における設定レジスタ５２は、シリアルデータＳＤＡの受信が完了された後に設定データが更新されることとする。
【００１８】
周波数変調回路５３は、基準周波数と設定データとに基づいた周波数の搬送波を生成し、ＩＤＣ回路５０からのステレオコンポジット信号で変調する回路である。なお、変調された搬送波はＦＭ変調信号としてパワーアンプ４２に出力される。
【００１９】
パワーアンプ４２は、ＦＭ変調信号を、アンテナ３１を駆動できるように増幅する回路である。なお、パワーアンプ４２の出力をＦＭ信号とする。
【００２０】
マイコン２１（デジタルデータ処理回路）は、利用者がＦＭ信号の周波数を設定するために操作するコントローラ３２からの指示に応じて、ＦＭ送信回路２０及びパワーアンプ２２を制御する回路であり、ＩＦ（Ｉｎｔｅｒｆａｃｅ）回路６０、ＲＯＭ（Ｒｅａｄ  Ｏｎｌｙ  Ｍｅｍｏｒｙ）６１、ＤＡＣ（Ｄｉｇｉｔａｌ  ｔｏ  Ａｎａｌｏｇ  Ｃｏｎｖｅｒｔｅｒ）６２、及びＣＰＵ（Ｃｅｎｔｒａｌ  Ｐｒｏｃｅｓｓｉｎｇ  Ｕｎｉｔ）６３を含んで構成される。
【００２１】
ＩＦ回路６０は、ＣＰＵ６３とＦＭ送信回路２０及びコントローラ３２との間で各種データのやりとりを行う回路である。具体的には、コントローラ３２からの指示をＣＰＵ６３に送信し、ＣＰＵ６３からのデータをＦＭ送信回路２０に送信する。
【００２２】
ＲＯＭ６１は、ＣＰＵ６３が実行するプログラムと、所定のステレオの音声信号であるビープ音を示す音声データとを格納する回路である。なお、本実施形態のＲＯＭ６１は、音声データが格納されているアドレスがＣＰＵ６３から出力されると、音声データをＤＡＣ６２に出力することとする。
【００２３】
ＤＡＣ６２（変換部）は、ＲＯＭ６１から出力されるデジタルの音声データをアナログ音声信号に変換し、パワーアンプ２２に出力する回路である。なお、本第１の実施形態のＤＡＣ６２は、音声データを音声信号に変換する際に、ステレオからモノラルに変換して出力することとする。
【００２４】
ＣＰＵ６３は、コントローラ３２からの指示に応じてＲＯＭ６１に格納されたプログラムを実行することにより、各種機能を実現する回路である。図２は、ＣＰＵ６３がプログラムを実行することにより実現される機能ブロックの構成を示す図である。本第１の実施形態のＣＰＵ６３は、プログラムを実行することにより設定部７０及び出力部７１を実現する。
【００２５】
設定部７０は、コントローラ３２からの指示に応じて、ＩＦ回路６０にＦＭ送信回路２０の搬送波の周波数を変更するための周波数データを所定のクロック信号に同期して出力する。なお、本第１の実施形態のＩＦ回路６０からは、前述の周波数データ、所定のクロック信号が夫々シリアルデータＳＤＡ、クロック信号ＳＣＬとして出力されることとする。
【００２６】
出力部７１は、コントローラ３２からの指示に応じて、ＲＯＭ６１に格納された音声データの格納アドレスを準備し、設定部７０が周波数データを送信している間、格納アドレスをＲＯＭ６１に出力する。詳述すると、出力部７１は、設定部７０が周波数データの送信を開始するタイミングでＲＯＭ６１に音声データの格納アドレスを出力する。また、出力部７１は、設定部７０が周波数データの送信を完了するタイミングで、ＲＯＭ６１に対する音声データの格納アドレスの出力を停止する。なお、出力部７１とＲＯＭ６１とが本発明の出力部に相当する。
【００２７】
パワーアンプ２２は、ＤＡＣ６２から出力される音声信号が、送信装置１０に設けられたスピーカ２３で再生されるよう、ＤＡＣ６２の音声信号を増幅してスピーカ２３を駆動する。したがって、本第１の実施形態では、音声データから変換された音声信号がパワーアンプ２２に入力されると、スピーカ２３からはビープ音が再生されることとなる。
【００２８】
ここで、図３に示すフローチャート及び図４に示すタイミングチャートを参照しつつ、送信装置１０の動作を説明する。なお、ここでは、ＦＭ送信回路２０の搬送波の周波数が既に設定されており、周波数を変更する際の動作について説明する。また、搬送波の周波数を変更する際には、音楽再生装置３０からの音声信号ＲＩＮ，ＬＩＮが一時的に停止され、カーステレオ（不図示）が無音状態であることとする。まず、利用者は、ＦＭ送信回路２０の搬送波の周波数が所望の周波数に変更されるよう、コントローラ３２を操作する（Ｓ１００）。その結果、コントローラ３２の操作結果に応じた指示がＩＦ回路６０を介してＣＰＵ６３に送信される。そして、設定部７０及び出力部７１の夫々は、コントローラ３２からの指示に応じて、周波数データ及び音声データの格納アドレスを準備する（Ｓ１０１）。前述の周波数データ及び格納アドレスが夫々準備されると、設定部７０は、時刻Ｔ１にＩＦ回路６０に周波数データの送信を開始する（Ｓ１０２）。その結果、時刻Ｔ１にＩＦ回路６０からシリアルデータＳＤＡがクロック信号ＳＣＬに同期して出力されることとなる。また、出力部７１は、周波数データの送信開始と同じタイミングの時刻Ｔ１にＲＯＭ６１に音声データの格納アドレスを出力する（Ｓ１１０）。ＲＯＭ６１に前述の格納アドレスが指定されると、音声データはＤＡＣ６２に入力されるため、結果的に、時刻Ｔ１よりスピーカ２３からはビープ音が再生されることとなる（Ｓ１１１）。そして、設定部７０が時刻Ｔ２に周波数データの送信を完了すると（Ｓ１０３）、出力部７１も格納アドレスの出力を停止する。したがって、本第１の実施形態では、ＩＦ回路６０からＦＭ送信回路２０の搬送波の周波数を設定するためのシリアルデータＳＤＡが出力されている間、スピーカ２３からビープ音が再生されることとなる。
【００２９】
図５は、本発明の第２の実施形態である送信装置１１の構成を示す図である。送信装置１１は、第１の実施形態の送信装置１０と同様に、例えば、音楽再生装置３０から出力される音楽をＦＭ信号としてアンテナ３１から送信し、カーステレオ（不図示）で再生するための装置である。また、送信装置１１は、利用者がコントローラ３２を操作することにより、ＦＭ信号の周波数が設定可能な装置である。本第２の実施形態の送信装置１１は、ＦＭ送信回路２０、及びマイコン２４を含んで構成される。なお。送信装置１１におけるＦＭ送信回路２０は、送信装置１０のＦＭ送信回路２０と同じである。また、第２の実施形態における音楽再生装置３０、アンテナ３１、及びコントローラ３２の夫々は、第１の実施形態の音楽再生装置３０、アンテナ３１、及びコントローラ３２と同じであることとする。
【００３０】
マイコン２４（デジタルデータ処理回路）は、利用者がＦＭ信号の周波数を設定するために操作するコントローラ３２からの指示に応じて、ＦＭ送信回路２０を制御する回路であり、ＩＦ回路６０、ＲＯＭ６１、ＣＰＵ６３、及びＤＡＣ６４を含んで構成される。なお、ＩＦ回路６０、ＲＯＭ６１、ＣＰＵ６３の夫々は、送信装置１０におけるＩＦ回路６０、ＲＯＭ６１、ＣＰＵ６３と同じである。
【００３１】
ＤＡＣ６４（変換部）は、ＲＯＭ６１から出力されるデジタルの音声データをステレオのアナログ音声信号ＲＯＵＴ，ＬＯＵＴに変換し、音声増幅回路４０における音声信号ＲＩＮ，ＬＩＮが入力されるノードへと出力する回路である。したがって、第１の実施形態の送信装置１０と第２の実施形態の送信装置１１とを比較すると、ＲＯＭ６１に格納された音声データの出力先が異なっている。
【００３２】
ここで、送信装置１１の動作について、送信装置１０の動作を説明する際に用いた図３のフローチャートを再度参照しつつ説明する。なお、ここでは、ＦＭ送信回路２０の搬送波の周波数が既に設定されており、周波数を変更する際の動作について説明する。また、第２実施形態において搬送波の周波数を変更する際には、音楽再生装置３０からの音声信号ＲＩＮ，ＬＩＮが一時的に停止され、カーステレオ（不図示）が無音状態であることとする。前述のように、本第２の実施形態のマイコン２４と、第１の実施形態のマイコン２１とを比較すると、ＩＦ回路６０、ＲＯＭ６１、ＣＰＵ６３は共通であるため、ＦＭ送信回路２０の搬送波の周波数を変更するための一連の処理においては、ステップＳ１１１のみ異なることとなる。詳述すると、本第２の実施形態では、出力部７１が音声データの格納アドレスをＲＯＭ６１に出力すると、ＲＯＭ６１の音声データはＤＡＣ６４に出力される。そしてＤＡＣ６４は、音声データに基づいて、ステレオの音声信号ＲＯＵＴ，ＬＯＵＴを出力する。ＤＡＣ６４からの音声信号ＲＯＵＴ，ＬＯＵＴは、音声増幅回路４０に入力されるため、設定レジスタ５２に設定されている変更前の設定データに基づいた周波数の搬送波でアンテナ３１から送信されることとなる。したがって、本第２の実施形態においては、ＩＦ回路６０から搬送波の周波数を変更するためのシリアルデータＳＤＡが出力されている間には、カーステレオ（不図示）からビープ音が再生されることとなる。
【００３３】
以上に説明した構成からなる第１の実施形態の送信装置１０及び第２の実施形態の送信装置１１においては、ＦＭ変調ＩＣ４１にシリアルデータＳＤＡが送信されている間、出力部７１は、ＲＯＭ６１に格納された音声データの格納アドレスを出力している。その結果、シリアルデータＳＤＡの高調波等が可聴域に変換され、カーステレオからシリアルデータＳＤＡの送信音が出力されることがある場合であっても、所定の音声信号であるビープ音が再生されることなるため、シリアルデータＳＤＡの送信音をマスクすることが可能となる。これにより、シリアルデータＳＤＡの送信音により、利用者が送信装置１０，１１の故障を疑うことを防ぐことが可能である。
【００３４】
また、第１の実施形態の送信装置１０においては、ＲＯＭ６１に格納された音声データをＤＡＣ６２が変換し、パワーアンプ２２を介して送信装置１０に設けられたスピーカ２３を駆動している。したがって、送信回路１０においては、送信装置１０に設けられたスピーカ２３からビープ音を再生できるため、シリアルデータＳＤＡの送信音をマスクすることが可能である。
【００３５】
また、第２の実施形態の送信装置１１においては、ＲＯＭ６１に格納された音声データはＤＡＣ６４が変換し、ＦＭ送信回路２０の音声増幅回路４０に出力している。したがって、送信装置１０の様に、送信装置自身にスピーカが設けられていない場合であっても、カーステレオ（不図示）でピープ音を再生できるため、シリアルデータＳＤＡの送信音をマスクすることが可能である。
【００３６】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３７】
第１及び第２の実施形態においては、設定データに基づいて、ＦＭ送信回路２０の搬送波の周波数を設定可能としたが、例えば、設定データに基づいて、送信電力が変更可能なパワーアンプを用い、パワーアンプの送信電力を変更することとしても良い。また、ステレオコンポジット信号またはモノラル信号の何れかを出力可能な音声増幅回路を音声増幅回路４０の代わりに用い、設定データに基づいて、ステレオコンポジット信号またはモノラル信号の何れかが出力されることとしても良い。これらの場合であっても、シリアルデータＳＤＡが送信される間にビープ音を再生することにより、シリアルデータＳＤＡの送信音をマスクすることが可能となる。なお、これらの場合は、ＦＭ送信回路２０が本発明の音声信号処置回路に相当することとなる。
【００３８】
また、第１及び第２の実施形態においては、設定レジスタ５２の設定データを変更する際に、クロック信号ＳＣＬに同期してシリアルデータＳＤＡを送信するという２線式が用いられているが、１線式や３線式のデータ送信をした場合にも、同様の効果が得られる。
【符号の説明】
【００３９】
１０、１１  送信装置
２０  ＦＭ送信回路
２１、２４  マイコン
２２、４２  パワーアンプ
２３  スピーカ
３０  音楽再生装置
３１  アンテナ
３２  コントローラ
４０  音声増幅回路
４１  ＦＭ変調ＩＣ
５０  ＩＤＣ回路
５１  水晶発振回路
５２  設定レジスタ
５３  周波数変調回路
６０  ＩＦ回路
６１  ＲＯＭ
６２、６４  ＤＡＣ
６３  ＣＰＵ
７０  設定部
７１  出力部
【図１】
2010200293.tif 000003
【図２】
2010200293.tif 000004
【図３】
2010200293.tif 000005
【図４】
2010200293.tif 000006
【図５】
2010200293.tif 000007
【図６】
2010200293.tif 000008